(57)【要約】  【課題】故人を偲ぶ思いをメッセージに託すことができるとともに、保管や廃棄に困ることのないメッセージ片付き束状線香およびそのメッセージ片を提供することを目的としている。  【解決手段】  メッセージ片付き束状線香は、束状の線香と、この束状線香の外周部分に取り付けられるメッセージ片とを備え、メッセージ片が、可燃性の材料で形成されているとともに、故人へのメッセージを記入可能な空白部を有している。【選択図】図２
0003116686.tif 000002
【実用新案登録請求の範囲】
【請求項１】
束状の線香と、この束状線香の外周部分に取り付けられるメッセージ片とを備え、
メッセージ片が、可燃性の材料で形成されているとともに、故人へのメッセージを記入可能な空白部を有していることを特徴とするメッセージ片付き束状線香。
【請求項２】
メッセージ片が、束状線香の外周部分に環状に取り付けられて、束状線香を結束していることを特徴とする請求項１記載のメッセージ片付き束状線香。
【請求項３】
メッセージ片が、シート状基材からなり、このシート状基材の裏面が、束状線香の外周部分に接着されていることを特徴とする請求項１または２記載のメッセージ片付き束状線香。
【請求項４】
可燃性の材料で形成されているとともに、故人へのメッセージを記入可能な空白部を有しており、束状線香の外周部分に取り付け可能に構成されていることを特徴とするメッセージ片。
【請求項５】
メッセージ片が、束状線香を結束可能な幅を有していることを特徴とする請求項４記載のメッセージ片。
【請求項６】
メッセージ片が、シート状基材からなり、このシート状基材の一面に、束状線香の外周部分に接着可能な接着剤層が積層されていることを特徴とする請求項４または５記載のメッセージ片。
【考案の詳細な説明】
【技術分野】
【０００１】
本考案は、故人に対する思いを書くことのできるメッセージ片付き束状線香およびそのメッセージ片に関するものである。
【背景技術】
【０００２】
従来、この種のメッセージ片としては、故人名を記入する個人名記入欄と、故人へのメッセージを記入するメッセージ記入欄と、メッセージを記入する提供社名とを記入できる提供者名記入欄とを有する２枚以上のカードを分離可能にかつ複写式にして一組とし、おのおのの記入欄に必要事項を記入したカードを分離して、葬儀のときに祭壇に供えたり、棺の中に入れたり、遺族に渡したり、提供者が保管したりすることができるようにした葬儀用メッセージカードが提案されている（例えば特許文献１参照）。
【特許文献１】特開２００３−１７０６８３号公報
【考案の開示】
【考案が解決しようとする課題】
【０００３】
しかしながら、上記のメッセージカードは、葬儀の後、遺族や提供者本人の手元で保管できるように、２枚以上のカードから構成されているが、保管するカードの数量が多いと、保管場所に困ることになる。だからといって、故人を偲ぶメッセージカードを廃棄処分するのは良心が痛み、なかなか思い切って処分できないという問題がある。
また、葬儀だけでなく、その後の法事やお墓参りのたびに、仏壇やお墓にメッセージカードを供えるとなると、カードの提供者も遺族も、増えつづけるカードの保管について精神的、経済的負担が重くなるという問題もある。
本考案は、以上の問題点に鑑み考案されたものであって、故人を偲ぶ思いをメッセージに託すことができるとともに、保管や廃棄に困ることのないメッセージ片付き束状線香およびそのメッセージ片を提供することを目的としている。
【課題を解決するための手段】
【０００４】
上記課題を解決するために、請求項１に記載の考案のメッセージ片付き束状線香は、束状の線香と、この束状線香の外周部分に取り付けられるメッセージ片とを備え、メッセージ片が、可燃性の材料で形成されているとともに、故人へのメッセージを記入可能な空白部を有していることを特徴とするものである。ここで、束状線香とは、多数の線香単体を束状にまとめてなる線香のことである。
【０００５】
請求項２に記載の考案は、請求項１に記載の考案において、メッセージ片が、束状線香の外周部分に環状に取り付けられて、束状線香を結束していることを特徴とするものである。
【０００６】
請求項３に記載の考案は、請求項１または２に記載の考案において、メッセージ片が、シート状基材からなり、このシート状基材の裏面が、束状線香の外周部分に接着されていることを特徴とするものである。
【０００７】
請求項４に記載の考案のメッセージ片は、可燃性の材料で形成されているとともに、故人へのメッセージを記入可能な空白部を有しており、束状線香の外周部分に取り付け可能に構成されていることを特徴とするものである。
【０００８】
請求項５に記載の考案は、請求項４に記載の考案において、メッセージ片が、束状線香を結束可能な幅を有していることを特徴とするものである。
【０００９】
請求項６に記載の考案は、請求項４または５に記載の考案において、メッセージ片が、シート状基材からなり、このシート状基材の一面に、束状線香の外周部分に接着可能な接着剤層が積層されていることを特徴とするものである。
【考案の効果】
【００１０】
請求項１に記載の考案によれば、メッセージ片付き束状線香が、束状の線香と、この束状線香の外周部分に取り付けられるメッセージ片とを備え、メッセージ片が、可燃性の材料で形成されているとともに、故人へのメッセージを記入可能な空白部を有しているので、
空白部に故人へのメッセージを記入した後、束状線香に火をつけて、仏前や墓前にお供えすることにより、束状線香とともにメッセージ片も燃えて煙となって立ち昇り、故人を偲ぶ思いを込めたメッセージが、故人に届いていくような安心感が得られる上、束状線香が燃え尽きる頃には、メッセージ片もわずかな灰となるため、そのメッセージ片の保管や廃棄に困ることがない。
【００１１】
請求項２に記載の考案によれば、メッセージ片が、束状線香の外周部分に環状に取り付けられて、束状線香を結束しているので、請求項１に記載の考案の効果に加えて、束状線香を束ねるための結束具が不要となるという効果がある。
【００１２】
請求項３に記載の考案によれば、メッセージ片が、シート状基材からなり、このシート状基材の裏面が、束状線香の外周部分に接着されているので、請求項１または２に記載の考案の効果に加えて、メッセージ片が、束状線香の外周部分に一体に取り付けられるという効果がある。
【００１３】
請求項４に記載の考案によれば、メッセージ片が、可燃性の材料で形成されているとともに、故人へのメッセージを記入可能な空白部を有しており、束状線香の外周部分に取り付け可能に構成されているので、空白部に故人へのメッセージを記入した後、束状線香の外周部分に取り付けて、束状線香に火をつけて、仏前や墓前にお供えすることにより、束状線香とともにメッセージ片も燃えて煙となって立ちのぼり、故人を偲ぶ思いを込めたメッセージが、故人に届いていくような安心感が得られる上、束状線香が燃え尽きる頃には、メッセージ片もわずかな灰となるため、そのメッセージ片の保管や廃棄に困ることがない。
また、メッセージ片の空白部にメッセージを記入した後に、そのメッセージ片を束状線香の外周部分に取り付けられるので、市販されている束状線香に後付けすることができ、汎用性に優れる。また、束状線香に取り付ける前に、メッセージ片にメッセージを記入できるので、メッセージの記入がしやすいという利点もある。
【００１４】
請求項５に記載の考案によれば、メッセージ片が、束状線香を結束可能な長さを有しているので、請求項４に記載の考案の効果に加えて、メッセージ片を束状線香の外周部分に環状に取り付けることにより、束状線香を結束することができ、束状線香を束ねるための結束具が不要となるという効果がある。
【００１５】
請求項６に記載の考案によれば、メッセージ片が、シート状基材からなり、このシート状基材の一面に、束状線香の外周部分に接着可能な接着剤層が積層されているので、請求項４または５に記載の考案の効果に加えて、メッセージ片を束状線香の外周部分に簡単かつ確実に取り付けることができるという効果がある。
【考案を実施するための最良の形態】
【００１６】
以下、本考案にかかるメッセージ片の一実施形態について、図面に基づいて説明する。
【００１７】
本実施形態のメッセージ片１ａは、図１に示すように、シート状の紙片からなり、その表面には、故人へのメッセージを記入可能な空白部２が設けられ、その裏面には、接着剤層３が積層されている。また、メッセージ片１ａの長さは、束状線香Ｓ１の長さよりもやや短く、その幅は、束状線香Ｓ１の外周長さよりもやや長い平面視略矩形に形成されている。ここで、束状線香Ｓ１は、多数の線香単体を紙製の帯体Ｔによって結束してなる束状の線香である。
【００１８】
このメッセージ片１ａを使用する際には、まず、メッセージ片１ａの空白部２に、ペンや筆などで故人へのメッセージ、例えば、「おじいちゃんこんにちは、ぼくたちみんなげんきだよ。」などの文言を記入する。次に、メッセージ面を表側にして、束状線香Ｓ１の先端部分を少し残して、メッセージ片１ａを束状線香Ｓ１の外周面全体に巻きつけて、メッセージ片１ａの裏面の接着剤層３を束状線香Ｓ１の外周面に密着させる。そして、束状線香Ｓ１の先端部分に火をつけて、仏前や墓前にお供えする。
【００１９】
すると、メッセージ片１ａは、束状線香Ｓ１とともに燃えて煙となって立ちのぼり、束状線香Ｓ１が燃え尽きる頃には、束状線香Ｓ１もメッセージ片１ａもわずかな灰が残るだけとなる。
【００２０】
以上詳述したように、本実施形態のメッセージ片１ａによれば、その表面の空白部２に故人へのメッセージを記入した後、束状線香Ｓ１に火をつけて、仏前や墓前にお供えすることにより、束状線香Ｓ１とともにメッセージ片１ａも燃えて煙となって立ちのぼるので、故人を偲ぶ思いを込めたメッセージが、故人に届いていくような安心感が得られる。また、束状線香Ｓ１が燃え尽きる頃には、メッセージ片１ａもわずかな灰となるため、そのメッセージ片１ａの保管や廃棄に困ることがない。
また、故人へのメッセージをメッセージ片１ａの空白部２に手書きで記入する行為によって、故人を偲ぶ思いが深まり、自然に故人の幸せを祈る気持ちとなることができる。また、メッセージ片１ａは紙製であるので、燃やした時に有害なガスが発生せず、環境に悪影響を及ぼさない。
さらに、メッセージ片１ａが、束状線香Ｓ１のほぼ外周面全体を被覆可能な大きさに形成されており、その裏面に接着剤層３が積層されているので、メッセージ片１ａを束状線香Ｓ１に簡単かつ確実に取り付けることができるとともに、メッセージ片１ａが束状線香Ｓ１の外周部分から剥がれ落ちたり紛失したりしにくい。
また、接着剤層３と束状線香Ｓ１の外周面との接着面積が大きく、メッセージ片１ａによって束状線香Ｓ１を確実に結束できる上、メッセージ片１ａの空白部２が広くメッセージを書きやすいという利点もある。
【００２１】
なお、本考案は、上記のメッセージ片１ａのように、帯体Ｔで結束された束状線香Ｓ１に後から取り付けるものに限られず、図２に示すメッセージ片付き束状線香４ａのように、多数の線香単体を束状にまとめただけの束状線香Ｓ２の外周面に、予めメッセージ片１ａを取り付けた構成としてもよい。
このメッセージ片付き束状線香４ａは、製造段階において、メッセージ片１ａの空白部２を表側にして、束状線香Ｓ２の先端部分を少し残して、メッセージ片１ａを束状線香Ｓ２の外周面全体に巻きつけて、メッセージ片１ａの裏面の接着剤層３を束状線香Ｓ２の外周面に密着することにより構成されている。そして、使用時に、図２に示すように、束状線香Ｓ２に取り付けられたメッセージ片１ａの空白部２に、故人へのメッセージを記入する。
【００２２】
上記構成のメッセージ片付き束状線香４ａによれば、使用時にメッセージ片１ａを取り付ける作業が不要となるので、使用者の作業負担を低減できる。また、メッセージ片１ａは、製造段階において束状線香Ｓ２の外周面に取り付けられて、束状線香Ｓ２を結束しているため、束状線香Ｓ２を結束するための帯体Ｔが不要となる。したがって、使用時にメッセージ片１ａを束状線香Ｓ１に取り付ける場合に比べて、部品点数が少なく、コストの削減を図ることができるという利点もある。
【００２３】
なお、本考案のメッセージ片は、上記の構成に限られず、例えば、図３に示すように、短冊状のメッセージ片１ｂであってもよい。メッセージ片１ｂは、シート状紙片で短冊状に形成され、表面にメッセージを記入可能な空白部２を備え、裏面には、図示していないが、メッセージ片１ａと同様に、接着剤層が積層されている。なお、メッセージ片１ｂは、空白部２にメッセージを記入した後、その裏面の接着剤層を帯体Ｔにて結束された束状線香Ｓ１の外周面に密着させるようにしてもよいし、製造段階において、メッセージ片１ａを束状線香Ｓ１の外周面に接着して、メッセージ片付き束状線香４ｂを構成し、使用時に、束状線香Ｓ１に取り付けられたメッセージ片１ｂの表面の空白部２に、メッセージを記入するようにしてもよい。
【００２４】
また、上記メッセージ片１ａ，１ｂはいずれも、その裏面に積層された接着剤層３によって、束状線香Ｓ１，Ｓ２に接着される構成であるが、接着剤層３の接着面に、剥離可能な剥離紙を貼着しておき、束状線香Ｓ１，Ｓ２に接着するときに、前記剥離紙を剥離して使用するように構成しておくことが好ましい。
【００２５】
さらに、本考案のメッセージ片は、束状線香の外周部分に取り付けることができればよいので、メッセージ片１ａ，１ｂのように、裏面に接着剤層３を積層する構成に限られず、例えば、必要時に接着剤を塗布して束状線香の外周部分に接着する構成であっても構わない。
【００２６】
さらに、束状線香の外周部分に取り付ける手段としては、接着に限られず、例えば、図４に示すように、シート状紙片で短冊状に形成され、表面にメッセージを記入可能な空白部２を備えたメッセージ片１ｃを、その上部に取り付けられている紐５によって、束状線香の外周部分に取り付けるようにしてもよい。なお、メッセージ片１ｃは、空白部２にメッセージを記入した後、紐５を束状線香Ｓ１の外周部分に取り付けてもよいし、束状線香Ｓ１の外周部分に予め取り付けて、メッセージ片付き束状線香４ｃを構成し、使用時に、束状線香Ｓ１に取り付けられたメッセージ片１ｃの表面の空白部２に、メッセージを記入するようにしてもよい。
【００２７】
また、本考案のメッセージ片は、紙製に限定されるものではなく、可燃性の材料で形成されていればよい。したがって、木製シート片であってもよいし、綿や麻などの布片などでも構わない。
【図面の簡単な説明】
【００２８】
【図１】本考案の第１の実施形態にかかるメッセージ片１ａを束状線香Ｓ１に取り付ける様子を示す説明図である。
【図２】メッセージ片１ａを備えたメッセージ片付き束状線香４ａの外観図である。
【図３】本考案の他の実施形態にかかるメッセージ片１ｂを備えたメッセージ片付き束状線香４ｂの外観図である。
【図４】本考案の他の実施形態にかかるメッセージ片１ｃを備えたメッセージ片付き束状線香４ｃの外観図である。
【符号の説明】
【００２９】
１ａ  メッセージ片
１ｂ  メッセージ片
１ｃ  メッセージ片
２    空白部
３    接着剤層
４ａ  メッセージ片付き束状線香
４ｂ  メッセージ片付き束状線香
４ｃ  メッセージ片付き束状線香
Ｓ１  帯体Ｔで結束された束状線香（束状線香）
Ｓ２  束状にまとめただけの束状線香（束状線香）
【図１】
0003116686.tif 000003
【図２】
0003116686.tif 000004
【図３】
0003116686.tif 000005
【図４】
0003116686.tif 000006